(57)【要約】【課題】  内空部を有する本体の軽量化および機械的強度の増強化が図れることは元より、外面の外観性に優れた合成樹脂成形体を提供する。【解決手段】  内空部４０を有する合成樹脂製の把持部本体４Ａにおける該内空部４０内面にリブ４１を射出成形により一体形成した合成樹脂成形体であって、前記把持部本体４Ａの外面における前記リブ４１に対応する部位に、該リブ４１と並行に溝条４２を形成する。リブ４１により把持部本体４Ａの機械的強度が増し、リブ４１を把持部本体４Ａの下面近傍まで形成すると、把持部のグリップ感が向上する。リブ厚を大きくすると、把持部の上面にリブに沿ってひけが生じるが、溝条４２によりひけが隠蔽され、逆に溝条４２により外観性が向上する。【選択図】  図１
2005238595.tif 000002
【特許請求の範囲】
【請求項１】
内空部を有する合成樹脂製の本体における該内空部に対応する内面にリブを射出成形により一体形成した合成樹脂成形体であって、前記本体の外面における前記リブに対応する部位に、該リブに並行に溝条を形成したことを特徴とする合成樹脂成形体。
【請求項２】
請求項１に記載の合成樹脂成形体からなり、前記本体は、下面側が開放された内空部を有し、清掃部材を着脱可能に保持する清掃用具用の清掃部材保持具における清掃部材保持部であり、前記清掃部材保持部における内空部に対応する上壁内面にリブを形成し、前記清掃部材保持部の外面における前記リブに対応する部位に、該リブに並行に溝条を形成したことを特徴とする清掃部材保持具。
【請求項３】
請求項１に記載の合成樹脂成形体からなり、前記本体は、下面側が開放された内空部を有し、清掃部材を着脱可能に保持するハンディ清掃用具用の清掃部材保持具における把持部であり、前記把持部における内空部に対応する上壁内面にリブを形成し、前記把持部の外面における前記リブに対応する部位に、該リブに並行に溝条を形成したことを特徴とする清掃部材保持具。
【請求項４】
請求項２又は３に記載の清掃部材保持具に装着して使用されることを特徴とする清掃部材。
【請求項５】
請求項２又は３に記載の清掃部材保持具と、この清掃部材保持具に装着された清掃部材から組み立てられたことを特徴とする清掃用具。
【請求項６】
内空部を有する合成樹脂製の本体における該内空部に対応する内面にリブを射出成形により一体形成された合成樹脂成形体の製造方法であって、前記本体の外面における前記リブに対応する部位に、該リブに沿った溝条を形成するにあたり、前記本体を射出成形するための金型内面に、前記リブ形成用深溝に対応して該深溝に並行する溝条形成用の凸条を形成したことを特徴とする合成樹脂成形体の製造方法。
【発明の詳細な説明】
【技術分野】
【０００１】
この発明は、例えば清掃用具における清掃部材保持具、あるいは電気機器の合成樹脂製ケースなどに適用される合成樹脂成形体およびその製造方法に関する。
【背景技術】
【０００２】
合成樹脂成形体、例えば雑巾状物である清掃部材を着脱可能に保持するハンディ清掃用具用の清掃部材保持具では、清掃部材上面の被保持部に差し込まれる鏝状の保持片部の基端側から把持部（ハンドル部）が突設されており、この把持部は前記保持片部とともに合成樹脂を射出成形して成形されている。
【０００３】
ところで、前記把持部は、家具や机の上を拭いたりするのが簡易に行えるように軽量である必要があり、一般的には、把持部の横断面形状を略門形として下面側が開放された内空部を存在させてある（例えば、特許文献１参照）。このような略門形の把持部では、拭いたりする際の押し付け反力に耐えるような強度を持たせる必要があり、これに対応して把持部の上壁内面に該把持部の略全長にわたる補強用リブを形成することが提案されている。
【特許文献１】特開２００３−２２５１８９号公報
【発明の開示】
【発明が解決しようとする課題】
【０００４】
しかし、上記のような把持部は、補強用リブにより機械的強度を確保できるが、強度を高めるために補強用リブの厚みを増大させると、該補強用リブに対応する把持部の上壁外面に、射出成形時の樹脂のひけによる不細工な窪みが形成される傾向があった。即ち、補強用リブ厚が上壁厚よりも大きくなると、前記窪みが目立って大きくなり、この窪みが残ると把持部の外観を損なわせてしまうという問題が起きていた。そこで、従来では、窪みを目立たせないために、補強用リブ厚を上壁厚よりも小さくすることが行われている。しかし、この場合には、窪みが目立たない代わりに、補強用リブの強度が低下してしまうという結果が招来されていた。即ち、リブ厚が小さいと機械的強度に問題が発生し、逆にリブ厚を大きくするとひけにより外観が損なわれるという矛盾する課題が残されていたのである。
【０００５】
この発明は、上記従来の実情に鑑みてなされたものであり、内空部を有する本体の軽量化および機械的強度の増強化が図れることは元より、外観性に優れた合成樹脂成形体およびその製造方法を提供することを課題としている。
【課題を解決するための手段】
【０００６】
本発明は、上記課題を達成するためになされたものであり、本発明の第１の形態は、内空部を有する合成樹脂製の本体における該内空部に対応する内面にリブを射出成形により一体形成した合成樹脂成形体であって、前記本体の外面における前記リブに対応する部位に、該リブに並行に溝条を形成した合成樹脂成形体である。
【０００７】
本発明の第２の形態は、前記第１形態の合成樹脂成形体からなり、前記本体は、下面側が開放された内空部を有し、清掃部材を着脱可能に保持する清掃用具用の清掃部材保持具における清掃部材保持部であり、前記清掃部材保持部における内空部に対応する上壁内面にリブを形成し、前記清掃部材保持部の外面における前記リブに対応する部位に、該リブに並行に溝条を形成した清掃部材保持具である。
【０００８】
本発明の第３の形態は、前記第１形態の合成樹脂成形体からなり、前記本体は、下面側が開放された内空部を有し、清掃部材を着脱可能に保持するハンディ清掃用具用の清掃部材保持具における把持部であり、前記把持部における内空部に対応する上壁内面にリブを形成し、前記把持部の外面における前記リブに対応する部位に、該リブに並行に溝条を形成した清掃部材保持具である。
【０００９】
本発明の第４の形態は、前記第２形態又は第３形態の清掃部材保持具に装着して使用される清掃部材である。
【００１０】
本発明の第５の形態は、前記第２形態又は第３形態の清掃部材保持具と、この清掃部材保持具に装着された清掃部材から組み立てられた清掃用具である。
【００１１】
本発明の第６の形態は、内空部を有する合成樹脂製の本体における該内空部に対応する内面にリブを射出成形により一体形成された合成樹脂成形体の製造方法であって、前記本体の外面における前記リブに対応する部位に、該用リブに沿った溝条を形成するにあたり、前記本体を射出成形するための金型内面に、前記リブ形成用深溝に対応して該深溝に並行する溝条形成用の凸条を形成した合成樹脂成形体の製造方法である。
【発明の効果】
【００１２】
本発明の第１の形態によれば、内空部を有する本体におけるリブにより、軽量化を達成しつつ機械的強度の増強が図れる。しかも、このリブに対応する外面に溝条を形成してあるので、前記リブの成形時の樹脂のひけにより外面に不細工な窪みが発生したとしても、前記溝条で隠されてしまい、前記ひけを逆に本体外面の美観へと転換し、外観の秀麗性を実現できる。リブによる機械的強度を増大させるために、リブ厚を上壁厚より大きくしても、上壁面に発生したひけが前記溝条で隠蔽されるから、リブによる機械的強度の増強と美観の向上という両効果が同時達成できる効果を有する。従って、リブは補強用以外の効果も発現するから、本発明では補強用リブとは呼ばれず、単にリブと称される。溝状の長さはリブの長さに対応させればよく、ひけを隠蔽する程度の長さに調整されればよい。
【００１３】
本発明の第２の形態によれば、内空部により清掃用具用の合成樹脂製清掃部材保持具の軽量化が図れるうえ、掃除中などに清掃部材保持部が床などに押し付けられて破損したりするのが前記リブで抑止され、また、該清掃部材保持部の外面に成形時のひけによる不細工な窪みは形成されたとしても、それが前記溝条により無くなり、外観性に優れた清掃用具用の合成樹脂製清掃部材保持具を得ることができる。リブによる機械的強度を増大させるために、リブ厚を上壁厚より大きくしても、上壁面に発生したひけが前記溝条で隠蔽されるから、リブによる機械的強度の増強と美観の向上という両効果が同時達成できる効果を有する。清掃部材は被清掃物を払拭する部材で、モップ等のクロス体、スポンジ体、ブラシ体などから構成される。
【００１４】
本発明の第３の形態によれば、内空部によりハンディ清掃用具用の合成樹脂製清掃部材保持具の軽量化が図れるうえ、机や家具を拭いたりする時に、把持部に外力が付勢されても、前記リブにより強度が確保されて、破損したりするのが抑止される。また、該把持部の外面に成形時のひけによる不細工な窪みが形成されたとしても、それが前記溝条によりなくなり、外観性に優れたハンディ清掃用具用の合成樹脂製清掃部材保持具を得ることができる。リブによる機械的強度を一生に増大させるために、リブ厚を上壁厚より大きくしても、上壁面に発生したひけが前記溝条で隠蔽されるから、リブによる機械的強度の増強と美観の向上という両効果が同時達成できる効果を有する。更に、リブの下縁を把持部の下面まで延出させれば、把持部を手で把握した際に、把握した指の内面にリブの下縁が当接し、把持部のグリップ感が向上する利点がある。従って、リブは機械的強度だけでなく、グリップ感というハンディ清掃用具の操作性を向上させる効果を有する。清掃部材は被清掃物を払拭する部材で、モップ等のクロス体、スポンジ体、ブラシ体などから構成される。
【００１５】
本発明の第４の形態によれば、外観が秀麗で強度の高い前記第２形態又は第３形態の清掃部材保持具に装着して使用される清掃部材が提供され、清掃部材の多角化・差別化・多用途化に貢献できる。従来は、清掃部材保持具と無関係に清掃部材が提供されているため、どんな清掃部材保持具にも適用される清掃部材が用意されがちであった。本発明の出現により、この清掃部材保持具にはこの清掃部材といった具合に、清掃部材保持具と清掃部材の一対一の対応関係が付け易くなり、商品展開の多様化を実現できる。また、清掃部材には、繊維からなるクロス体（一般にはモップ）、スポンジ体、ブラシ体などの広範囲の払拭部材が含まれ、一層の多様化を実現できる。
【００１６】
本発明の第５の形態によれば、外観が秀麗で強度の高い前記第２形態又は第３形態の清掃部材保持具と、この清掃部材保持具に装着される清掃部材から組み立てられた清掃用具が提供される。従って、外観性に優れ高耐久性を有した清掃用具が実現される。従来は、清掃部材保持具と清掃部材が別売りされることが多いから、需要者がこの清掃部材保持具にはどの清掃部材を装着したらよいか迷うことが多かった。本発明により、清掃部材を清掃部材保持具に一体に装着した清掃用具が提供されるから、需要者サイドの困惑が無く、また販売側の混乱の無い清掃用具を実現できる。清掃部材は被清掃物を払拭する部材であり、モップ等のクロス体、スポンジ体、ブラシ体など広範囲の払拭体から構成されることは云うまでも無い。
【００１７】
本発明の第６の形態によれば、前記射出成形金型におけるリブ形成用深溝に対向する内面に溝条形成用の凸条を形成し、射出成形に伴って前記溝条が簡単に形成できる。
【発明を実施するための最良の形態】
【００１８】
以下、この発明の実施形態を図面に基づいて説明する。
【００１９】
図１は、この発明の実施形態にかかる合成樹脂成形体が適用されたハンディ清掃用具用の合成樹脂製清掃部材保持具を示す外観斜視図、図２は、図１のＸ−Ｘ線に沿った断面図である。図１および図２おいて、このハンディ清掃用具用の合成樹脂製清掃部材保持具１は、モップ状物である清掃部材５０を着脱可能に装着するものであり、保持片部２と、この保持片部２の基端側に続く清掃部材押さえ部３と、清掃部材押さえ部に続く把持部４とが合成樹脂を射出成形することにより一体形成されている。
【００２０】
なお、清掃部材５０は、厚手の布からなる基材部５１ａの下面全域および全周縁に糸ないしは紐状物５１ｂが縫い付けられており、また、上面には、ブリッジ状の被保持部５１ｃが縫い付けられている。
【００２１】
前記保持片部２は、前記清掃部材５０の被保持部５１ｃに差し込むためのものであり、長手状の鏝形に成形されており、前記被保持部５１ｃへの差し込みが円滑に行えるように、その先端側に向かうにつれて厚みを小さくしてある。
【００２２】
前記清掃部材押さえ操作部３の先端側は、前記保持片部２の上面に対して一定の隙間ｇを存在させて該保持片部２の基端部位まで張り出されている。前記隙間ｇは、前記保持片部２を清掃部材５０側の被保持部５１ｃ差し込んだ際に該被保持部５１ｃの端部を入り込ませるためのものである。
【００２３】
この清掃部材押さえ操作部３における前傾の上壁には、ボタン装着用の孔３１が形成されており、この孔３１には、操作ボタン３２がスライド可能に嵌着されている。この操作ボタン３２の下端には、該操作ボタン３２に付勢されたばね部材３４のばね力を受けて、前記隙間ｇに差し込まれた清掃部材５０の被保持部５１ｃを前記保持片部２の上面に対して離反可能に押し付ける押し付け部材３３が設けられている。
【００２４】
前記把持部４は、図３および図４に示すように、把持部本体４Ａの下面側が開放された内空部４０が存在する形状、つまり横断面形状が略門形に形成されており、その上壁内面には、リブ４１が把持部本体４Ａの長さ方向の略全長にわたって一体形成されている。このリブ４１に対応して前記上壁外面には、図４にも示すように、該リブ４１に沿った溝条４２が形成されている。
【００２５】
この溝条４２は、図６に示すように、射出成形用の雄金型Ｎにおけるリブ形成用深溝４１０に対応して雌金型Ｍの内面に凸条４２０を形成することにより、容易に成形することができる。
【００２６】
つぎに、上記構成の清掃部材保持具１の使用手順を説明する。
【００２７】
まず、清掃部材保持具１おける把持部４を把持するとともに、前記清掃部材押さえ操作部３における操作ボタン３２を指で把持部４２側にばね部材３４のばね力に抗して後退変移させて、押し付け部材３３と前記保持片部２の上面との間に隙間ｇを存在させておく。この状態で、前記保持片部２を清掃部材５０の被保持部５１ｃに差し込むとともに、該被保持部５１ｃを図２に示すように、前記隙間ｇ内に入り込ませた後、前記操作ボタン３２から指を離すと、前記押し付け部材３３が前記ばね部材３４のばね力を受けて進出し、清掃部材５０における被保持部５１ｃが押し付け部材３３と保持片部２とで挟着され、これにより清掃部材５０が清掃部材保持具２に装着・保持される。
【００２８】
そして、把持部４を把持したままで家具や机などを清掃部材５０で拭き掃除することができる。この場合、把持部４の横断面形状が略門形であり、軽量であるから扱いやすいうえ、把持部４における上壁内面にリブ４１を形成してあるから、機械的強度が確保されて、多少手荒に扱われても破損したりするおそれはない。
【００２９】
ところで、前記射出成形により、前記把持部４の上壁内面に補強リブ４１を形成すると、前記リブ４１に対応して前記把持部４の上壁外面に樹脂のひけによる見栄えの悪い窪みが形成されるが、そのリブ４１に対応して前記把持部４の上壁外面に溝条４２を形成したことにより、その窪みがなくなり、把持部４の外観が良好なものとなる。勿論、前記把持部４が幅が広くなれば、それに応じて、図５に示すように、リブ４１の数を増数して設ければよい。
【００３０】
図７は、この発明の他の実施形態にかかる合成樹脂成形体が適用された清掃用具用の清掃部材保持具を示す断面図である。図７において、この清掃用具用の清掃部材保持具６は、清掃部材７０が着脱可能に装着される清掃部材保持部８と、保持具本体６Ａに連結される柄９とからなる。なお、清掃部材７０には、厚手の布からなる基材部７１ａの下面全域および全周縁に糸もしくは紐状部７１ｂが縫い付けられている。また、基材部７１の被保持部７１ｃが上面側に折り返されており、この折り返された被保持部７１ｃが、例えば輪ゴムなどで縛られた状態で弾性的に拡径可能な被保持部として構成されている。
【００３１】
前記清掃部材保持部８は、前記保持具本体６Ａの外周部で構成されており、保持具本体６Ａと共に合成樹脂により射出成形されたものである。この清掃部材保持部８を含む保持具本体６Ａは、軽量化を図るために下面側が開放された内空部６０が存在する形状、例えば断面形状が略倒皿形に形成されており、清掃部材保持部８の上壁内面には、前記射出成形により環状のリブ８１が形成されている。
【００３２】
前記清掃部材保持部８における上壁外面には、図８に示すように、前記リブ８１に対応して環状の溝条８２が前記射出成形により形成されてれいる。前記保持具本体６Ａの上面の中央部には、柄９の連結部９０が設けれており、この連結部９０に前記柄９が固定もしくは着脱可能に連結されるようになっている。
【００３３】
上記構成からなる清掃部材保持具６においては、清掃部材７０における被保持部７１ｃを拡径させてから前記清掃部材保持部８に差し込み状に被せると、該清掃部材７０が清掃部材保持部に装着・保持される。これにより、柄９を持って操作しながら床や階段などを清掃部材７０で拭いたりすることができる。
【００３４】
掃除中に清掃部材保持具６の清掃部材保持部８側に強い押し付け力が加わったとしても、前記補強リブ８１により清掃部材保持部８が破損したりするのが回避される。さらに、この補強リブ８１に対応して、前記清掃部材保持部８の上壁外面に成形時のひけによる不細工な窪みが形成されたとしても、その部位に積極的に形成した溝条８２により窪みが現れなくなり、良好な外観が維持される。
【００３５】
なお、前記各実施形態では、清掃用具用の清掃部材保持具に適用した例で説明したものであるが、この発明は、これに限らず、例えば電気製品の筐体やカバーなど、本体の一部もしくは全体に内空部を有する各種の合成樹脂成形体に適用できるものである。
【産業上の利用可能性】
【００３６】
内空部を有する合成樹脂成形体の射出成形において、前記内空部にリブを一体形成する場合、樹脂のひけによる不細工な窪みが形成される傾向があり、この樹脂のひけは、前記合成樹脂成形体の外観を損うという問題を有していた。本発明に係る合成樹脂成形体は、成形体外面のリブに対応する部位に、このリブに並行して溝条が形成されている。従って、前記リブの成形時に、樹脂のひけによる不細工な窪みが発生したとしても、前記溝条で隠されてしまい、本体外面の美観が損なわれるおそれが解消され、同時に、前記リブにより軽量化を達成しつつ機械的強度を増強させることができる。また、前記溝条は、射出成形金型におけるリブ形成用深溝に対向する内面に溝条形成用の凸条を形成することにより簡単に形成でき、種々の合成樹脂成形体の製造に適用することができる。
【図面の簡単な説明】
【００３７】
【図１】本発明の実施形態に係る合成樹脂成形体が適用されたハンディ清掃用具用の合成樹脂製清掃部材保持具を示す外観斜視図である。
【図２】図１のＸ−Ｘ線に沿った断面図である。
【図３】同じく清掃部材保持具における把持部を示す斜視図である。
【図４】図１のＹ−Ｙ線に沿った断面図である。
【図５】把持部内面に複数の補強リブを設ける例の説明図である。
【図６】溝条を形成する成形金型の説明図である。
【図７】本発明の他の実施形態に係る合成樹脂成形体が適用された清掃用具用の合成樹脂製清掃部材保持具を示す断面図である。
【図８】図７のＺの部分の拡大断面図である。
【符号の説明】
【００３８】
１              合成樹脂成形体（清掃部材保持具）
２              保持片部
３              清掃部材押さえ部
４              把持部
４Ａ            把持部本体
６              合成樹脂成形体（清掃部材保持具）
６Ａ            保持具本体
８              清掃部材保持部
９              柄
３１            孔
３２            操作ボタン
３３            押し付け部材
３４            ばね部材
４０            内空部
４１            リブ
４２            溝条
５０            清掃部材
５１ａ          基材部
５１ｂ          紐状物
５１ｃ          被保持部
６０            内空部
７０            清掃部材
７１ａ          基材部
７１ｂ          紐状物
７１ｃ          被保持部
８１            リブ
８２            溝条
９０            連結部
４１０          リブ形成用深溝
４２０          溝条形成用凸条
Ｍ              雌金型
Ｎ              雄金型
ｇ              隙間
【図１】
2005238595.tif 000003
【図２】
2005238595.tif 000004
【図３】
2005238595.tif 000005
【図４】
2005238595.tif 000006
【図５】
2005238595.tif 000007
【図６】
2005238595.tif 000008
【図７】
2005238595.tif 000009
【図８】
2005238595.tif 000010